(57)【要約】【課題】本発明は、コンクリート構造物を破壊することなくあと施工アンカーを引き抜き、既存の穿孔を用いて新たなあと施工アンカーを施工することができるあと施工アンカーの施工方法及びあと施工アンカー引き抜き装置を提供する。【解決手段】コンクリート構造物３の穿孔４に接着剤５により固着されたアンカー部材２に対して熱と力との両方、又はいずれか一方を加えながら引張荷重を加えてアンカー部材２を引き抜く引き抜き工程と、アンカー部材２を引き抜いた穿孔４に残存する接着剤５を除去する接着剤除去工程と、接着剤除去工程によって接着剤５を除去した穿孔４に新たな接着剤５を充填する接着剤充填工程と、接着剤充填工程によって新たな接着剤５を充填した穿孔４に新たなアンカー部材２を打ち込むアンカー部材打込工程とを有している。【選択図】図１
2015025352.tif 000002
【特許請求の範囲】
【請求項１】
コンクリート構造物の穿孔に接着剤により固着されたアンカー部材に対して熱と力との両方、又はいずれか一方を加えながら引張荷重を加えて前記アンカー部材を引き抜く引き抜き工程と、
前記アンカー部材を引き抜いた前記穿孔に残存する前記接着剤を除去する接着剤除去工程と、
該接着剤除去工程によって前記接着剤を除去した前記穿孔に新たな接着剤を充填する接着剤充填工程と、
該接着剤充填工程によって前記新たな接着剤を充填した前記穿孔に新たなアンカー部材を打ち込むアンカー部材打込工程とを有することを特徴とするあと施工アンカーの施工方法。
【請求項２】
前記接着剤除去工程は、前記アンカー部材を引き抜いた前記穿孔の径を拡げる穿孔拡径工程であることを特徴とする請求項１記載のあと施工アンカーの施工方法。
【請求項３】
前記穿孔拡径工程では、前記穿孔の奥部をアンダーカット型の拡張穴に形成し、
前記アンカー部材打込工程では、前記新たなアンカー部材としてアンダーカットアンカーを打ち込むことを特徴とする請求項２記載のあと施工アンカーの施工方法。
【請求項４】
前記引き抜き工程は、前記接着剤による引張耐力を低下させる耐力低下装置と、前記アンカー部材に引張荷重を加える引張装置とを具備するあと施工アンカー引き抜き装置を用いて行うことを特徴とする請求項１乃至３のいずれかに記載のあと施工アンカーの施工方法。
【請求項５】
前記引張装置には、前記アンカー部材に加える引張荷重を測定する荷重計が設けられており、
前記あと施工アンカー引き抜き装置は、前記荷重計によって測定された引張荷重値が設定された上限引張荷重値を超えると上限荷重超過通知を報知する引張制御装置を具備することを特徴とする請求項４記載のあと施工アンカーの施工方法。
【請求項６】
前記引張装置には、前記アンカー部材に加える引張荷重を測定する荷重計が設けられており、
前記あと施工アンカー引き抜き装置は、前記アンカー部材の軸方向の変位量を測定する変位計と、前記荷重計によって測定された引張荷重値が設定された荷重設定値を超えることなく、前記変位計によって測定された変位量が設定された変位設定値を超えると、前記耐力低下装置をオンさせる引張制御装置とを具備することを特徴とする請求項４記載のあと施工アンカーの施工方法。
【請求項７】
コンクリート構造物の穿孔に接着剤により固着されたアンカー部材に対して、前記コンクリート構造物から突出している突出端から挿入孔を形成する挿入孔形成工程と、
前記挿入孔に棒状の加熱手段を挿入して前記アンカー部材を加熱する加熱工程と、
加熱後の前記アンカー部材を引き抜く引き抜き工程と、
前記アンカー部材を引き抜いた前記穿孔に残存する前記接着剤を除去する接着剤除去工程と、
該接着剤除去工程によって前記接着剤を除去した前記穿孔に新たな接着剤を充填する接着剤充填工程と、
該接着剤充填工程によって前記新たな接着剤を充填した前記穿孔に新たなアンカー部材を打ち込むアンカー部材打込工程とを有することを特徴とするあと施工アンカーの施工方法。
【請求項８】
前記挿入孔形成工程では、前記コンクリート構造物に埋設されている埋設端の近傍まで到達する前記挿入孔、もしくは前記埋設端を突き抜ける前記挿入孔を形成することを特徴とする請求項７記載のあと施工アンカーの施工方法。
【請求項９】
アンカー部材が穿孔に接着剤により固着されているコンクリート構造物に対して、前記アンカー部材の前記コンクリート構造物に埋設されている埋設端近傍に到達する削孔を形成する削孔形成工程と、
前記削孔を介して前記アンカー部材を通電加熱する加熱工程と、
前記アンカー部材を引き抜く引き抜き工程と、
前記アンカー部材を引き抜いた前記穿孔に残存する前記接着剤を除去する接着剤除去工程と、
該接着剤除去工程によって前記接着剤を除去した前記穿孔に新たな接着剤を充填する接着剤充填工程と、
該接着剤充填工程によって前記新たな接着剤を充填した前記穿孔に新たなアンカー部材を打ち込むアンカー部材打込工程と、
前記削孔を埋め戻す埋め戻し工程とを有することを特徴とするあと施工アンカーの施工方法。
【請求項１０】
前記引き抜き工程では、前記アンカー部材に回転を与えながら引き抜くことを特徴とする請求項７乃至９のいずれかに記載のあと施工アンカーの施工方法。
【請求項１１】
コンクリート構造物の穿孔に接着剤により固着されたアンカー部材を引き抜くあと施工アンカー引き抜き装置であって、
前記接着剤による引張耐力を低下させる耐力低下装置と、
前記アンカー部材に引張荷重を加える引張装置とを具備することを特徴とするあと施工アンカー引き抜き装置。
【請求項１２】
前記耐力低下装置は、前記アンカー部材を加熱する加熱装置であることを特徴とする請求項１１記載のあと施工アンカー引き抜き装置。
【請求項１３】
前記耐力低下装置は、前記アンカー部材に対して回転、振動もしくは打撃力を加える加力装置であることを特徴とする請求項１１又は１２記載のあと施工アンカー引き抜き装置。
【請求項１４】
前記引張装置には、前記アンカー部材に加える引張荷重を測定する荷重計が設けられており、
前記荷重計によって測定された引張荷重値が設定された上限引張荷重値を超えると上限荷重超過通知を報知する引張制御装置を具備することを特徴とする請求項１１乃至１３のいずれかに記載のあと施工アンカー引き抜き装置。
【請求項１５】
前記引張装置には、前記アンカー部材に加える引張荷重を測定する荷重計が設けられており、
前記アンカー部材の軸方向の変位量を測定する変位計と、
前記荷重計によって測定された引張荷重値が設定された荷重設定値を超えることなく、前記変位計によって測定された変位量が設定された変位設定値を超えると、前記耐力低下装置をオンさせる引張制御装置とを具備することを特徴とする請求項１１乃至１３のいずれかに記載のあと施工アンカー引き抜き装置。
【発明の詳細な説明】
【技術分野】
【０００１】
本発明は、あと施工アンカーの施工方法に関し、特にアンカー部材を接着剤（カプセル方式又は注入方式）の化学反応により固着する接着系（ケミカル）アンカーを施工する施工方法に関する。
【背景技術】
【０００２】
建築や土木におけるあと施工アンカー工法においては、コンクリート構造物に形成した穿孔に接着剤（注入方式又は樹脂カプセル方式）の化学反応によりアンカー部材を固着させた接着系アンカーが従来から広く用いられている。接着系アンカーは、まず、コンクリート構造物に穿孔し、この穿孔に接着剤を充填（又は樹脂カプセルを挿入）する。そして、この穿孔に全ねじボルト等のアンカーボルトや、異形棒鋼等のアンカー筋であるアンカー部材を打ち込んで、接着剤を硬化養生させて、アンカー部材をコンクリート構造物に固着させている（例えば、特許文献１参照）。
【先行技術文献】
【特許文献】
【０００３】
【特許文献１】特開平１０−９２３９号公報
【発明の概要】
【発明が解決しようとする課題】
【０００４】
しかしながら、従来技術では、接着剤の経時劣化や、施工不良によって十分な引抜耐力が確保できなくなってしまうことがある。このようなあと施工アンカーは、使用を中止せざるを得ないが、無理に引き抜くとコンクリート構造物を破壊する虞があるため、そのまま放置されるのが一般的である。従って、新たな箇所にあと施工アンカーを施工した後、固定されていた設備を移動させるという大掛かりな工事が必要になっていた。
【０００５】
本発明の目的は、かかる点に鑑みてなされたものであり、その目的とするところは、コンクリート構造物を破壊することなくあと施工アンカーを引き抜くことができる、既存の穿孔を用いて新たなあと施工アンカーを施工することができるあと施工アンカーの施工方法を提供することにある。
【課題を解決するための手段】
【０００６】
本発明のあと施工アンカーの施工方法は、コンクリート構造物の穿孔に接着剤により固着されたアンカー部材に対して熱と力との両方、又はいずれか一方を加えながら引張荷重を加えて前記アンカー部材を引き抜く引き抜き工程と、前記アンカー部材を引き抜いた前記穿孔に残存する前記接着剤を除去する接着剤除去工程と、該接着剤除去工程によって前記接着剤を除去した前記穿孔に新たな接着剤を充填する接着剤充填工程と、該接着剤充填工程によって前記新たな接着剤を充填した前記穿孔に新たなアンカー部材を打ち込むアンカー部材打込工程とを有することを特徴とする。
さらに本発明のあと施工アンカーの施工方法において、前記接着剤除去工程は、前記アンカー部材を引き抜いた前記穿孔の径を拡げる穿孔拡径工程であっても良い。
さらに本発明のあと施工アンカーの施工方法において、前記穿孔拡径工程では、前記穿孔の奥部をアンダーカット型の拡張穴に形成し、前記アンカー部材打込工程では、前記新たなアンカー部材としてアンダーカットアンカーを打ち込んでも良い。
さらに本発明のあと施工アンカーの施工方法において、前記引き抜き工程は、前記接着剤による引張耐力を低下させる耐力低下装置と、前記アンカー部材に引張荷重を加える引張装置とを具備するあと施工アンカー引き抜き装置を用いて行っても良い。
さらに本発明のあと施工アンカーの施工方法において、前記引張装置には、前記アンカー部材に加える引張荷重を測定する荷重計が設けられており、前記あと施工アンカー引き抜き装置は、前記荷重計によって測定された引張荷重値が設定された上限引張荷重値を超えると上限荷重超過通知を報知する引張制御装置を備えていても良い。
また、本発明のあと施工アンカーの施工方法は、前記引張装置には、前記アンカー部材に加える引張荷重を測定する荷重計が設けられており、前記あと施工アンカー引き抜き装置は、前記アンカー部材の軸方向の変位量を測定する変位計と、前記荷重計によって測定された引張荷重値が設定された荷重設定値を超えることなく、前記変位計によって測定された変位量が設定された変位設定値を超えると、前記耐力低下装置をオンさせる引張制御装置とを備えていても良い。
また、本発明のあと施工アンカーの施工方法は、コンクリート構造物の穿孔に接着剤により固着されたアンカー部材に対して、前記コンクリート構造物から突出している突出端から挿入孔を形成する挿入孔形成工程と、前記挿入孔に棒状の加熱手段を挿入して前記アンカー部材を加熱する加熱工程と、加熱後の前記アンカー部材を引き抜く引き抜き工程と、前記アンカー部材を引き抜いた前記穿孔に残存する前記接着剤を除去する接着剤除去工程と、該接着剤除去工程によって前記接着剤を除去した前記穿孔に新たな接着剤を充填する接着剤充填工程と、該接着剤充填工程によって前記新たな接着剤を充填した前記穿孔に新たなアンカー部材を打ち込むアンカー部材打込工程とを有することを特徴とする。
さらに本発明のあと施工アンカーの施工方法において、前記挿入孔形成工程では、前記コンクリート構造物に埋設されている埋設端の近傍まで到達する前記挿入孔、もしくは前記埋設端を突き抜ける前記挿入孔を形成するようにしても良い。
また、本発明のあと施工アンカーの施工方法は、アンカー部材が穿孔に接着剤により固着されているコンクリート構造物に対して、前記アンカー部材の前記コンクリート構造物に埋設されている埋設端近傍に到達する削孔を生成する挿入孔形成工程と、前記削孔を介して前記アンカー部材を通電加熱する加熱工程と、前記アンカー部材を引き抜く引き抜き工程と、前記アンカー部材を引き抜いた前記穿孔に残存する前記接着剤を除去する接着剤除去工程と、該接着剤除去工程によって前記接着剤を除去した前記穿孔に新たな接着剤を充填する接着剤充填工程と、該接着剤充填工程によって前記新たな接着剤を充填した前記穿孔に新たなアンカー部材を打ち込むアンカー部材打込工程と、前記削孔を埋め戻す埋め戻し工程とを有することを特徴とする。
さらに本発明のあと施工アンカーの施工方法において、前記引き抜き工程では、前記アンカー部材に回転を与えながら引き抜くようにしても良い。
また、本発明のあと施工アンカー引き抜き装置は、コンクリート構造物の穿孔に接着剤により固着されたアンカー部材を引き抜くあと施工アンカー引き抜き装置であって、前記接着剤による引張耐力を低下させる耐力低下装置と、前記アンカー部材に引張荷重を加える引張装置とを具備することを特徴とする。
さらに本発明のあと施工アンカー引き抜き装置において、前記耐力低下装置は、前記アンカー部材を加熱する加熱装置であっても良い。
さらに本発明のあと施工アンカー引き抜き装置において、前記耐力低下装置は、前記アンカー部材に対して回転、振動もしくは打撃力を加える加力装置であっても良い。
さらに本発明のあと施工アンカー引き抜き装置において、前記引張装置には、前記アンカー部材に加える引張荷重を測定する荷重計が設けられており、前記荷重計によって測定された引張荷重値が設定された上限引張荷重値を超えると上限荷重超過通知を報知する引張制御装置を備えていても良い。
さらに本発明のあと施工アンカー引き抜き装置において、前記引張装置には、前記アンカー部材に加える引張荷重を測定する荷重計が設けられており、前記アンカー部材の軸方向の変位量を測定する変位計と、前記荷重計によって測定された引張荷重値が設定された荷重設定値を超えることなく、前記変位計によって測定された変位量が設定された変位設定値を超えると、前記耐力低下装置をオンさせる引張制御装置とを備えていても良い。
【発明の効果】
【０００７】
本発明によれば、接着系アンカーの付着力により決まる引張耐力を低下させることができるため、コンクリート構造物を破壊することなくアンカー部材を引き抜くことができ、既存の穿孔を用いて新たなあと施工アンカーを施工することができる。これにより、設備の移設という大掛かりな工事を行わなくて良いという効果を奏する。
【図面の簡単な説明】
【０００８】
【図１】本発明に係るあと施工アンカーの施工方法の第１実施形態の各作業手順を示す断面図である。
【図２】図１（ｂ）に示すアンカー部材の引き抜き作業に用いられるあと施工アンカー引き抜き装置の構成を示すブロック図である。
【図３】図２に示す引張装置、変位計及び加熱装置の側面図である。
【図４】図２に示す引張装置及び加熱装置の縦断面図である。
【図５】図２に示す引張操作装置及び引張制御装置の構成を示す平面図及び側面図である。
【図６】図２に示すあと施工アンカー引き抜き装置に加力装置を装着した状態を示す縦断面図である。
【図７】本発明に係るあと施工アンカーの施工方法の第２実施形態の各作業手順を示す断面図である。
【図８】本発明に係るあと施工アンカーの施工方法の第３実施形態の各作業手順を示す断面図である。
【発明を実施するための形態】
【０００９】
次に、本発明を実施するための形態（以下、単に「実施形態」という）を、図面を参照して具体的に説明する。
（第１実施形態）
第１実施形態のあと施工アンカーの施工方法では、まず、既設の接着系アンカーに対し、図１（ａ）に示すように、全ねじボルト等のアンカーボルトや、異形棒鋼等のアンカー筋であるアンカー部材２に熱や、回転、振動、打撃力等の力を加えながら、引張荷重を加えてアンカー部材２を引き抜く（引き抜き工程）。既設の接着系アンカーは、コンクリート構造物３に形成された穿孔４に、アンカー部材２が接着剤５によって固着されている。従って、アンカー部材２に熱や、回転、振動、打撃力等の力を加えることで、アンカー部材２を固着している接着剤５の引張耐力を低下させることができる。これにより、接着剤５の引張耐力を、コンクリート構造物３のコーン状破壊により決まる引張耐力よりも小さくすることができるため、図１（ｂ）に示すように、コンクリート構造物３を破壊することなくアンカー部材２を引き抜くことができる。
【００１０】
次に、拡径用のコアドリル等を用いて、図１（ｃ）に矢印で示すように、コンクリート構造物３に既設されている穿孔４の径を拡げる（穿孔拡径工程）。穿孔拡張工程は、残存する接着剤５を確実に除去する接着剤除去工程として機能し、アンカー部材２を引き抜いた後に、穿孔４に残存する接着剤５を確実に除去することができる。
【００１１】
次に、ブラシやブロアを用いて、穿孔４内の切粉を除去し（切粉除去工程）、穿孔４に接着剤５を充填（又は樹脂カプセルを挿入）する（接着剤充填工程）。そして、図１（ｄ）に示すように、アンカー部材２を打ち込んで、接着剤５を硬化養生させて、アンカー部材２をコンクリート構造物３に固着させる（アンカー部材打込工程）。
【００１２】
なお、穿孔拡張工程において、アンダーカットドリルを用いて、穿孔４の奥部をアンダーカット型の拡張穴に形成し、アンカー部材打込工程において、アンダーカットアンカーを打ち込むようにしても良い。
【００１３】
アンカー部材２に熱や、回転、振動、打撃力等の力を加えながら、引張荷重を加えてアンカー部材２を引き抜く引き抜き工程には、図２乃至図５に示すあと施工アンカー引き抜き装置１を用いることができる。
【００１４】
あと施工アンカー引き抜き装置１は、コンクリート構造物に形成された穿孔４に接着剤５で固着されたアンカー部材を引き抜く装置であり、図２に示すように、アンカーボルト等のアンカー部材に引張荷重を加える引張装置１０と、引張装置１０を操作する引張操作装置３０と、アンカー部材の軸方向の変位量を測定する変位計４０と、アンカー部材を加熱する加熱装置５０と、引張制御装置６０とを備えている。
【００１５】
引張装置１０は、図３及び図４に示すように、複数の脚部１１を備えた反力台１２と、反力台１２と、アンカー部材２に引張荷重を加えるセンターホール型の油圧シリンダー１３と、反力台１２と油圧シリンダー１３との間に配置され、アンカー部材２への引張荷重値を測定する荷重計１４とを備えている。荷重計１４には、センターホール型のロードセルが用いられている。また、反力台１２には、センターホールが形成されており、反力台１２のセンターホールと、油圧シリンダー１３及び荷重計１４のセンターホールとは、反力台１２に対して垂直な貫通孔１５を形成している。
【００１６】
図３及び図４を参照すると、コンクリート構造物３に形成された穿孔４に接着剤５で固着されたアンカー部材２には、カップリング１６を介してセンターシャフト１７が接続され、カップリング１６及びセンターシャフト１７が反力台１２側から引張装置１０の貫通孔１５に挿入され、反力台１２の複数の脚部１１がコンクリート構造物３に接触している。センターシャフト１７は、油圧シリンダー１３側から突出しており、突出しているセンターシャフト１７には、センターシャフト１７に適応、すなわちセンターシャフト１７の外径よりも若干大きい開口が形成されたワッシャープレート１８が取り付けられ、さらに、センターシャフト１７のねじ径に対応する調整ナット１９がワッシャープレート１８に接触するまでねじ込まれている。これにより、コンクリート構造物３の表面とワッシャープレート１８との間に、反力台１２と、荷重計１４と、油圧シリンダー１３とが介装された状態となる。
【００１７】
なお、カップリング１６は、アンカー部材２とセンターシャフト１７とを締結するための締結部材であり、アンカー部材２のねじ径に対応する複数種類が用意されている。また、アンカー部材２が、油圧シリンダー１３側から突出する長さである場合には、カップリング１６を介してセンターシャフト１７を接続することなく、アンカー部材２に適応、すなわちアンカー部材２の外径よりも若干大きい開口が形成されたワッシャープレート１８を取り付け、さらに、アンカー部材２のねじ径に対応する調整ナット１９をワッシャープレート１８に接触するまでねじ込むようにしても良い。
【００１８】
油圧シリンダー１３には、引張操作装置３０が接続されている。引張操作装置３０は、図５に示すように、油圧ポンプ３１を備えており、油圧ホース３２を介して油圧シリンダー１３に接続される。図５において、（ａ）は引張操作装置３０及び引張制御装置６０の平面図であり、（ｂ）は引張操作装置３０及び引張制御装置６０の側面図である。引張操作装置３０のレバー３３を操作することで油圧ポンプ３１から油圧シリンダー１３に作動油が供給される。作動油が供給されると、油圧シリンダー１３のピストンロッド１３ａが伸長され、ワッシャープレート１８に対して反力台１２（コンクリート構造物３の表面）から離れる引張方向に力が作用する。これにより、ワッシャープレート１８、調整ナット１９、センターシャフト１７及びカップリング１６は、引張方向においてアンカー部材２と一体であるため、アンカー部材２に引張荷重が加えられる。なお、図３及び図４に示すように油圧シリンダー１３として単動型を用いたが、複動型の油圧シリンダーを採用するようにしても良い。
【００１９】
荷重計１４には、メインコネクタ２０と変位計コネクタ２１とが設けられている。変位計４０は、取り付けステイ４１を介してアンカー部材２に取り付けられ、アンカー部材２の軸方向の変位量を測定する。変位計４０によって測定された変位量は、変位計コネクタ２１に入力され、荷重計１４によって測定された引張荷重値と共に、メインコネクタ２０から引張制御装置６０に入力される。
【００２０】
加熱装置５０は、カップリング１６におけるアンカー部材２の接続側に設けられている。加熱装置５０としては、例えば、高周波加熱装置を用いることができ、加熱コイル５１がアンカー部材２に巻回されている。加熱装置５０のオン／オフは、引張制御装置６０によって制御される。加熱装置５０がオン、すなわち加熱コイル５１に高周波電流（交流）が流れると、アンカー部材２自体が発熱し、急速高温加熱が可能になる。なお、図３及び図４では、加熱コイル５１に高周波電流を供給する電源装置及び電源ケーブルや引張制御装置６０との間に接続された制御ケーブルは省略されている。また、アンカー部材２の発熱がセンターシャフト１７を介して油圧シリンダー１３に伝達されないように、カップリング１６やセンターシャフト１７をセラミック等の断熱材で構成すると好適である。さらに、カップリング１６を用いない場合には、加熱装置５０単体をアンカー部材２に取り付けるようにしても良い。
【００２１】
引張制御装置６０は、図５に示すように、液晶ディスプレイ等の表示部６１と、各種設定キーを備えた設定操作部６２と、ブザー等の報知部６３と、制御部６４とを備えている。制御部６４は、ＣＰＵ（Central Processing Unit）、ＲＯＭ（Read Only Memory）、ＲＡＭ（Random Access Memory）等を備えたマイクロコンピューター等の情報処理部である。ＲＯＭには制御プログラムが記憶されている。制御部６４は、ＲＯＭに記憶されている制御プログラムを読み出し、制御プログラムをＲＡＭに展開させることで、各種動作を実行する。
【００２２】
次に、あと施工アンカー引き抜き装置１を用いた引き抜き工程について詳細に説明する。
あと施工アンカー引き抜き装置１は、非破壊引張確認試験を行ってアンカー部材２の引張耐力を確認し、アンカー部材２の引き抜きを継続するか否かを判断した上で、アンカー部材２を引き抜くことができる。
【００２３】
作業者は、まず、引張装置１０、変位計４０及び加熱装置５０を図３及び図４に示すようにセッティングすると共に、設定操作部６２によって「荷重設定値」と「変位設定値」と「上限荷重設定値」を設定する。なお、この初期状態では、加熱装置５０はオフになっている。また、「荷重設定値」及び「変位設定値」は、非破壊引張確認試験のための入力であり、「荷重設定値」は、例えば、アンカー部材２の引張耐力Ｔａの４０％に設定される。なお、接着系アンカーであるアンカー部材２の引張耐力Ｔａは、アンカー部材２の降伏により決まる引張耐力Ｔａ１（以下、アンカー引張耐力Ｔａ１と称す）と、定着したコンクリート構造物３のコーン状破壊により決まる引張耐力Ｔａ２（以下、コンクリート引張耐力Ｔａ２と称す）と、接着剤５（接着系アンカー）の付着力により決まる引張耐力Ｔａ３（以下、接着剤引張耐力Ｔａ３と称す）との内の最小値となる。さらに、「上限荷重設定値」は、コンクリート構造物３（形成された穿孔４）やアンカー部材２を破損させる虞のある引張荷重値であり、「荷重設定値」よりも高く且つアンカー引張耐力Ｔａ１及びコンクリート引張耐力Ｔａ２よりも低い値に設定される。
【００２４】
作業者は、引張操作装置３０のレバー３３を操作することで、アンカー部材２に加える引張荷重を増加させていく。引張制御装置６０の制御部６４は、荷重計１４によって測定された引張荷重値と「荷重設定値」とを比較していると共に、変位計４０によって測定された変位量とを「変位設定値」とを比較している。そして、制御部６４は、荷重計１４によって測定された引張荷重値が「荷重設定値」を超えると、「荷重設定到達通知」を表示部６１や報知部６３を用いて作業者に報知すると共に、変位計４０によって測定された変位量が「変位設定値」を超えると、「変位量超過通知」を表示部６１や報知部６３を用いて作業者に報知する。これにより、「変位量超過通知」が報知されることなく、「荷重設定到達通知」が報知された場合には、作業者は、アンカー部材２の引張耐力が十分に備わっていると判断することができ、アンカー部材２の引き抜きを中止することができる。
【００２５】
また、制御部６４は、荷重計１４によって測定された引張荷重値が「荷重設定値」を超えることなく、変位計４０によって測定された変位量が「変位設定値」を超えると、加熱装置５０をオンさせる。これにより、加熱コイル５１に高周波電流（交流）が流れ、アンカー部材２自体が発熱し、アンカー部材２を固着している接着剤５に熱が伝達されることになる。なお、制御部６４は、荷重計１４によって測定された引張荷重値が「荷重設定値」を超えることなく、変位計４０によって測定された変位量が「変位設定値」を超えたことを表示部６１や報知部６３を用いて作業者に報知し、作業者が加熱装置５０をオンするようにしても良い。
【００２６】
接着剤引張耐力Ｔａ３は、Ｔａ３＝τａ・π・ｄａ・ｌｅで算出することができる。ここで、τaは、接着系アンカーの付着強度であり、ｄａは、アンカー部材２の径であり、ｌｅは、アンカー部材２の埋込み長さである。従って、アンカー部材２を固着している接着剤５に熱が伝達され、接着系アンカーの付着強度τaが低下すると、接着剤引張耐力Ｔａ３を低下させることができる。アンカー部材２を固着している接着剤５がエポキシ樹脂等の有機系である場合には、特に有効であり、接着剤引張耐力Ｔａ３を大きく低下させることができる。
【００２７】
そして、接着剤引張耐力Ｔａ３がアンカー引張耐力Ｔａ１及びコンクリート引張耐力Ｔａ２を下回った状態で、引張操作装置３０のレバー３３を操作してアンカー部材２に接着剤引張耐力Ｔａ３を超える引張荷重を加えると、アンカー部材２やコンクリート構造物３（形成された穿孔４）を破損させることなくアンカー部材２を引き抜くことができる。
【００２８】
また、制御部６４は、加熱装置５０をオンさせた後、荷重計１４によって測定された引張荷重値と「上限荷重設定値」とを比較している。そして、制御部６４は、荷重計１４によって測定された引張荷重値が「上限荷重設定値」を超えると、「上限荷重超過通知」を表示部６１や報知部６３を用いて作業者に報知する。「上限荷重超過通知」により、作業者は、コンクリート構造物３（形成された穿孔４）やアンカー部材２を破損させる虞を認識して引張操作装置３０のレバー３３の操作を中断することが可能になる。これにより、アンカー部材２を固着している接着剤５に十分や熱が伝達されず、接着剤引張耐力Ｔａ３がアンカー引張耐力Ｔａ１及びコンクリート引張耐力Ｔａ２を上回った状態で、過大な引張荷重、すなわちアンカー引張耐力Ｔａ１及びコンクリート引張耐力Ｔａ２を超える引張荷重をアンカー部材２に加えてしまうことを防止することができる。
【００２９】
なお、加熱装置５０によってアンカー部材２を加熱することで、接着剤引張耐力Ｔａ３を低下させるように構成した。すなわち、接着剤引張耐力Ｔａ３を低下させる耐力低下装置として加熱装置５０を採用したが、接着剤引張耐力Ｔａ３を低下させる耐力低下装置としては、図６に示すように、アンカー部材２に対して回転、振動もしくは打撃力を加える加力装置７０を設けても良い。すなわち、接着剤５が経時劣化している場合には、アンカー部材２に対して回転、振動もしくは打撃力を加えることで、接着系アンカーの付着強度を低下させることができる。
【００３０】
アンカー部材２に対して回転を加える加力装置７０としては、例えば、図６に示すように、緩み止めナット１９ａをセンターシャフト１７に装着して固定し、ギア等を用いてモータ７１の回転力を、センターシャフト１７を介してアンカー部材２に伝達させると良い。
また、アンカー部材２に対して振動を加える加力装置７０としては、モータ７１の回転力を、振動ドリル等で公知の振動機構（ラチェット機構等）によってセンターシャフト１７の軸方向の振動に変換してアンカー部材２に伝達させると良い。
さらに、アンカー部材２に対して打撃力を加える加力装置７０としては、ハンマードリル等で公知のハンマー振動機構によってセンターシャフト１７の軸方向の打撃力に変換してアンカー部材２に伝達させると良い。
【００３１】
以上説明したように、第１実施形態は、コンクリート構造物３の穿孔４に接着剤５により固着されたアンカー部材２に対して熱と力との両方、又はいずれか一方を加えながら引張荷重を加えてアンカー部材２を引き抜く引き抜き工程と、アンカー部材２を引き抜いた穿孔４に残存する接着剤５を除去する接着剤除去工程と、接着剤除去工程によって接着剤５を除去した穿孔４に新たな接着剤５を充填する接着剤充填工程と、接着剤充填工程によって新たな接着剤５を充填した穿孔４に新たなアンカー部材２を打ち込むアンカー部材打込工程とを有している。
この構成により、接着剤引張耐力Ｔａ３を低下させることができるため、接着剤引張耐力Ｔａ３がアンカー引張耐力Ｔａ１及びコンクリート引張耐力Ｔａ２を下回った状態で、コンクリート構造物３を破壊することなくアンカー部材を引き抜くことができる。これにより、コンクリート構造物３に形成されている既存の穿孔４を用いて新たなアンカーを施工することができ、設備の移設という大掛かりな工事を行わなくて良い。
【００３２】
さらに、第１実施形態において、接着剤除去工程は、アンカー部材２を引き抜いた穿孔４の径を拡げる穿孔拡径工程である。
この構成により、アンカー部材２を引き抜いた穿孔４に残存する接着剤５を確実に除去することができる。
【００３３】
さらに、第１実施形態において、穿孔拡径工程では、穿孔４の奥部をアンダーカット型の拡張穴に形成し、アンカー部材打込工程では、新たなアンカー部材２としてアンダーカットアンカーを打ち込むと良い。
この構成により、より強固なあと施工アンカーを施工することができる。
【００３４】
さらに、第１実施形態において、引き抜き工程は、接着剤５による引張耐力を低下させる耐力低下装置（加熱装置５０、加力装置７０）と、アンカー部材２に引張荷重を加える引張装置１０とを具備するあと施工アンカー引き抜き装置１を用いて行われる。
この構成により、引き抜き工程を容易に行うことができる。
【００３５】
さらに、第１実施形態において、引張装置１０には、アンカー部材２に加える引張荷重を測定する荷重計１４が設けられており、あと施工アンカー引き抜き装置１は、荷重計１４によって測定された引張荷重値が設定された上限引張荷重値を超えると上限荷重超過通知を報知する引張制御装置６０を備えている。
この構成により、過大な引張荷重、すなわちアンカー引張耐力Ｔａ１及びコンクリート引張耐力Ｔａ２を超える引張荷重をアンカー部材２に加えてしまうことを防止することができる。
【００３６】
さらに、第１実施形態において、あと施工アンカー引き抜き装置１は、アンカー部材２の軸方向の変位量を測定する変位計４０を備え、引張制御装置６０は、荷重計１４によって測定された引張荷重値が設定された荷重設定値を超えることなく、変位計４０によって測定された変位量が設定された変位設定値を超えると、耐力低下装置（加熱装置５０、加力装置７０）をオンさせるように構成されている。
この構成により、非破壊引張確認試験を行いながら、アンカー部材２の引き抜き工程を行うことができる。
【００３７】
また、第１実施形態は、コンクリート構造物３の穿孔に接着剤により固着されたアンカー部材２を引き抜くあと施工アンカー引き抜き装置１であって、接着剤による接着剤引張耐力Ｔａ３を低下させる耐力低下装置（加熱装置５０、加力装置７０）と、アンカー部材２に引張荷重を加える引張装置１０とを備えている。
この構成により、接着剤引張耐力Ｔａ３を低下させることができるため、接着剤引張耐力Ｔａ３がアンカー引張耐力Ｔａ１及びコンクリート引張耐力Ｔａ２を下回った状態で、コンクリート構造物３を破壊することなくアンカー部材を引き抜くことができる。これにより、コンクリート構造物３に形成されている既存の穿孔を用いて新たなアンカーを施工することができ、設備の移設という大掛かりな工事を行わなくて良い。
【００３８】
さらに、第１実施形態は、引張装置１０には、アンカー部材２に加える引張荷重を測定する荷重計１４が設けられており、荷重計１４によって測定された引張荷重値が設定された上限引張荷重値を超えると上限荷重超過通知を報知する引張制御装置６０を備えている。
この構成により、過大な引張荷重、すなわちアンカー引張耐力Ｔａ１及びコンクリート引張耐力Ｔａ２を超える引張荷重をアンカー部材２に加えてしまうことを防止することができる。
【００３９】
さらに、第１実施形態は、アンカー部材２の軸方向の変位量を測定する変位計４０を備え、引張制御装置６０は、荷重計１４によって測定された引張荷重値が設定された荷重設定値を超えることなく、変位計４０によって測定された変位量が設定された変位設定値を超えると、耐力低下装置（加熱装置５０、加力装置７０）をオンさせるように構成されている。
この構成により、非破壊引張確認試験を行いながら、アンカー部材２の引き抜き作業を行うことができる。
【００４０】
（第２実施形態）
第２実施形態のあと施工アンカーの施工方法では、まず、図７（ａ）に示すように、コンクリート構造物３の穿孔４に接着剤５により固着されたアンカー部材２に対して、図７（ｂ）に示すように、コンクリート構造物３から突出している突出端２Ａから少なくともコンクリート構造物３に埋設されている埋設端２Ｂ近傍まで到達する挿入孔６を穿孔機械（ドリル）を用いて形成する（挿入孔形成工程）。なお、挿入孔６を形成する際の切削は「水循環システム」を用いて冷却すると共に、「集塵機」を用いて集塵すると良い。また、図７に示す例では、挿入孔６は、アンカー部材２の埋設端２Ｂを突き抜ける貫通孔として形成されている。このように挿入孔６を貫通孔として形成することで、アンカー部材２の埋設長が不明な場合でも、埋設端２Ｂ近傍まで到達する挿入孔６を簡単に形成することができる。
【００４１】
次に、図７（ｃ）に示すように、挿入孔６に棒状の加熱手段７を挿入してアンカー部材２を加熱する（加熱工程）。棒状の加熱手段７としては、例えば、穴あきボルトの加熱用に用いられる電気抵抗加熱式や高周波加熱式のボルトヒーターを用いることができる。棒状の加熱手段７によるアンカー部材２の加熱は、コンクリート構造物３を損傷させることなく、接着剤５の脆化、特に接着剤５のアンカー部材２との接着面の脆化を目的として行う。従って、アンカー部材２の接着剤５との接触箇所全体を均一に加熱し、接着剤５に伝わる熱量をコントロールすることが重要である。第２実施形態では、挿入孔６が埋設端２Ｂ近傍まで形成されているため、棒状の加熱手段７によって、アンカー部材２の接着剤５との接触箇所全体を均一に加熱させることができる。そして、棒状の加熱手段７（電気抵抗加熱式）自体の発熱温度もしくは棒状の加熱手段７（高周波加熱式）によるアンカー部材２の発熱温度と、発熱時間とを適宜設定することで、アンカー部材２から接着剤５に伝わる熱量をコントロールし、コンクリート構造物３を損傷させることなく接着剤５を脆化させることができる。
【００４２】
次に、加熱後のアンカー部材２を引き抜き（引き抜き工程）、第１実施形態の穿孔拡径工程以降の処理を実行することで、新たなアンカー部材２をコンクリート構造物３に固着させる。引き抜き工程において、アンカー部材２が全ねじボルト等のアンカーボルトである場合には、アンカー部材２に図示しないダブルナットを装着させ、インパクトレンチ等を用いて、図７（ｄ）に示すように、アンカー部材２を緩める方向に回転させることで引き抜くことができる。なお、図７（ａ）に示すように、アンカー部材２の埋設端２Ｂが斜めに切断されている場合には、斜めに切断されている埋設端２Ｂに接して接着剤５の接着剤溜まり５ａが形成されている。この接着剤溜まり５ａは、アンカー部材２の軸周りの回転を阻害するため、アンカー部材２を回転させながら引き抜く場合には、加熱工程において、接着剤溜まり５ａを十分に脆化させておく必要がある。接着剤溜まり５ａを十分に脆化さるためには、挿入孔６を貫通孔として形成すると共に、棒状の加熱手段７として電気抵抗加熱式のものを用いて、接着剤溜まり５ａを直接加熱すると良い。すなわち、接着剤溜まり５ａには、他の箇所に比べて接着剤５の量が多く存在するが、棒状の加熱手段７によって直接加熱することで他の箇所に比べて多くの熱量を加えることできる。
【００４３】
以上説明したように、第２実施形態は、コンクリート構造物３の穿孔４に接着剤５により固着されたアンカー部材２に対して、コンクリート構造物３から突出している突出端２Ａから挿入孔６を形成する挿入孔形成工程と、挿入孔６に棒状の加熱手段７を挿入してアンカー部材２を加熱する加熱工程と、加熱後のアンカー部材２を引き抜く引き抜き工程と、アンカー部材２を引き抜いた穿孔４に残存する接着剤５を除去する接着剤除去工程と、接着剤除去工程によって接着剤５を除去した穿孔４に新たな接着剤５を充填する接着剤充填工程と、接着剤充填工程によって新たな接着剤５を充填した穿孔４に新たなアンカー部材２を打ち込むアンカー部材打込工程とを有している。
この構成により、アンカー部材２を素早く均一に加熱することができるため、接着剤５の脆化を短時間で確実に行うことができ、簡単にアンカー部材２を引き抜くことができる。
【００４４】
さらに、第２実施形態において、挿入孔形成工程では、コンクリート構造物３にアンカー部材２の埋設端２Ｂの近傍まで到達する挿入孔６、もしくは埋設端２Ｂを突き抜ける挿入孔６を形成する。
この構成により、加熱工程において、接着剤溜まり５ａに熱が伝わりやすいため、接着剤溜まり５ａを十分に脆化させることができ、簡単にアンカー部材２を引き抜くことができる。そして、埋設端２Ｂを突き抜ける挿入孔６を形成する場合には、アンカー部材２の埋設長が不明な場合でも、埋設端２Ｂ近傍まで到達する挿入孔６を簡単に形成することができる。
【００４５】
さらに、第２実施形態において、引き抜き工程では、前記アンカー部材に回転を与えながら引き抜く。
この構成により、アンカー部材２が全ねじボルト等のアンカーボルトである場合には、インパクトレンチ等を用いてアンカー部材２を簡単に引き抜くことができる。
【００４６】
（第３実施形態）
第３実施形態のあと施工アンカーの施工方法では、まず、図８（ａ）に示すように、アンカー部材２が穿孔４に接着剤５により固着されているコンクリート構造物３に対して、アンカー部材２の埋設端２Ｂ近傍に到達する削孔８を穿孔機械（ドリル）を用いて形成する（削孔形成工程）。
【００４７】
次に、図８（ｂ）に示すように、通電加熱装置９０の棒状に加工した一方の端子９１を削孔８に挿入してアンカー部材２の埋設端２Ｂ近傍に接触させると共に、通電加熱装置９０の他方の端子９２をアンカー部材２の突出端２Ａ近傍に接触させ、アンカー部材２を通電加熱する（加熱工程）。この加熱も第２実施形態と同様に、コンクリート構造物３を損傷させることなく、接着剤５の脆化、特に接着剤５のアンカー部材２との接着面の脆化を目的として行う。アンカー部材２を通電加熱することで、アンカー部材２自体が均一に発熱するため、接着剤５に伝わる熱量を簡単にコントロールすることができる。
【００４８】
次に、加熱後のアンカー部材２を引き抜き（引き抜き工程）、第１実施形態の穿孔拡径工程以降の処理を実行することで、新たなアンカー部材２をコンクリート構造物３に固着させ、最後に、接着剤５やモルタルを用いて削孔８を埋め戻す（埋め戻し工程）。なお、削孔８は、接着剤充填工程における接着剤５の充填状態を確認するための確認孔として用いることができる。また、削孔８を埋め戻すために用いる埋め戻し材としては、削孔８の埋め戻しによってコンクリート構造物３の強度が劣化しない材質のもので有れば良い。
【００４９】
以上、本発明について実施形態をもとに説明した。この実施形態は例示であり、それらの各構成要素の組み合わせ等にいろいろな変形例が可能なこと、またそうした変形例も本発明の範囲にあることは当業者に理解されるところである。
例えば、本実施形態では、カップリング１６によってアンカー部材２とセンターシャフト１７とを締結するように構成したが、アンカー部材２とセンターシャフト１７と溶接によって締結しても良い。
【符号の説明】
【００５０】
１  あと施工アンカー引き抜き装置
２  アンカー部材
２Ａ  突出端
２Ｂ  埋設端
３  コンクリート構造物
４  穿孔
５  接着剤
５ａ  接着剤溜まり
６  挿入孔
７  棒状の加熱手段
８  削孔
１０  引張装置
１１  脚部
１２  反力台
１３  油圧シリンダー
１３ａ  ピストンロッド
１４  荷重計
１５  貫通孔
１６  カップリング
１７  センターシャフト
１８  ワッシャープレート
１９  調整ナット
１９ａ  緩み止めナット
２０  メインコネクタ
２１  変位計コネクタ
３０  引張操作装置
３１  油圧ポンプ
３２  油圧ホース
３３  レバー
４０  変位計
４１  取り付けステイ
５０  加熱装置
５１  加熱コイル
６０  引張制御装置
６１  表示部
６２  設定操作部
６３  報知部
６４  制御部
７０  加力装置
７１  モータ
９０  通電加熱装置
９１、９２  端子
【図１】
2015025352.tif 000003
【図２】
2015025352.tif 000004
【図３】
2015025352.tif 000005
【図４】
2015025352.tif 000006
【図５】
2015025352.tif 000007
【図６】
2015025352.tif 000008
【図７】
2015025352.tif 000009
【図８】
2015025352.tif 000010